(57)【要約】      （修正有）【課題】雑誌等の書籍に添付することができ、書籍から分離した後も、ディスクの保存用ケースとして利用することが可能なディスクケースを提供する。【解決手段】ディスク２０を保持して書籍２００に綴じ込まれるディスクケース１００であって、袋状に形成されており、ディスク２０が収納されるディスク収納部１０１と、前記ディスク収納部１０１と略同一形状を有しており、前記ディスク収納部１０１に折り筋を介して連設された表紙部１０２は、前記書籍に接合されており、かつ、前記ディスク収納部および／または前記表紙部に切り離し可能に接続された綴じ代１２とを備える。【選択図】図１
2005138905.tif 000002
【特許請求の範囲】
【請求項１】
ディスクを保持して書籍に綴じ込まれるディスクケースであって、
袋状に形成されており、ディスクが収納されるディスク収納部と、
前記ディスク収納部と略同一形状を有しており、前記ディスク収納部に折り筋を介して連設された表紙部と、
前記書籍に接合されており、かつ、前記ディスク収納部および／または前記表紙部に切り離し可能に接続された綴じ代と、
を備えるディスクケース。
【請求項２】
前記表紙部は、袋状に形成されており、ディスクが収納されるものである、
請求項１に記載のディスクケース。
【請求項３】
前記ディスク収納部は、周縁の一部が前記折り筋に対して谷側に向かってかつ前記ディスクの外形よりも大きく開口可能に設けられたものである、
請求項１または２に記載のディスクケース。
【請求項４】
請求項１から３のいずれか１項に記載のディスクケースを有する書籍。
【発明の詳細な説明】
【技術分野】
【０００１】
本発明は、雑誌等の書籍に綴じ込まれるディスクケースに関する。
【背景技術】
【０００２】
近年、ＣＤやＤＶＤ等の光ディスクが広く普及し、音声や画像、プログラム等が収録された光ディスクが、商品やノベルティとして紙、ビニール、フェルト製などの封筒状のケースに納められ、雑誌等の書籍に綴じられて配布されている。また、音声の収録されたＣＤが添付された語学の参考書等の書籍も数多く販売されている。
さらに、光ディスクを書籍に添付して配布するために、光ディスクの厚み以上の厚みを有する収納用ページを書籍に設け、この収納用ページに抜き穴部を設けて光ディスクを内設した書籍も提案されている（特許文献１）。
【特許文献１】特開平９−３９４３５号公報
【発明の開示】
【発明が解決しようとする課題】
【０００３】
光ディスクは、情報が記録された面に傷がつくと正確に読み取れなくなるため、ケースに収納しておくことが望ましい。しかしながら、上述した従来の雑誌に添付するための光ディスク用収納ケースは、破いたり、シールを剥がしたりすることによって開封する脆弱なつくりのものが多く、かかるケースは、光ディスクを一旦取り出すと、再度その光ディスクを収納するために使用できないことが多い。
一方、書籍に光ディスク収納用ページを設ける方法では、その書籍自体を保管しなければ光ディスクを収納して保存することができず、また持ち運び等の面でも利便性が低い。
そこで、本発明は、雑誌等の書籍に添付することができ、書籍から分離して、ディスクの保存用ケースとして利用することが可能なディスクケースを提供することを目的とする。
【課題を解決するための手段】
【０００４】
上記課題を解決するために、本発明に係るディスクケースは、ディスクを保持して書籍に綴じ込まれるものであって、袋状に形成されているディスクが収納されるディスク収納部と、ディスク収納部と略同一形状を有しておりディスク収納部に折り筋を介して連設された表紙部と、書籍に接合されており、かつ、ディスク収納部および／または表紙部に切り離し可能に接続された綴じ代とを備えることを特徴とする。
【０００５】
ここで、袋状のディスク収納部は、例えば平板状の紙やプラスチック等の基材が２枚重ね合わされて薄い袋状に形成されたものを用いることができる。かかる構成においては、書籍に接合された綴じ代からディスク収納部と表紙部とを切り離すことにより、ディスク収納部にディスクが保持された状態で書籍から分離される。こうして分離されたディスク収納部と表紙部とは、折り筋を介して連設されているので、その折り筋を折ることにより、ディスク収納部にそれと略同一形状の表紙部が折り重なってディスクを保管するのに十分な強度を有するケースが得られる。
【０００６】
また、表紙部も、袋状に形成されており、ディスクが収納されるものであると、ディスクの収納量が増えるので好ましい。
【０００７】
さらに、書籍に綴じ込まれている状態では、ディスクが外部へ飛び出してしまうことを防ぐため、ディスクケースは封止されていることが望ましく、特にその場合には、ディスク収納部が、周縁の一部が折り筋に対して谷側（つまりディスク収納部と表紙部とが折り合わされたときの内側）に向かってかつディスクの外形よりも大きく開口可能に設けられたものであると好適である。より具体的には、折り筋に沿って切り取り代が設けられていると、その部分を切り取るだけで、ディスクを出し入れする開口部が形成されるのでより好ましい。
【０００８】
こうすれば、書籍から切り離したディスクケースからディスクを取り出すことが容易となり、しかも、開口部が、ディスク収納部と表紙部とが折り合わされたときの内側に形成されるので、保管時にディスクを確実に保護できる。
【０００９】
また、本発明による書籍は、本発明のディスクケースを有するものである。かかる書籍は、本発明のディスクケースのディスク収納部にディスクを収納し、該ディスクケースの綴じ代と、封止した状態で他のページの綴じ代とを纏めて製本することにより得ることができる。
【発明の効果】
【００１０】
本発明にかかるディスクケースは、ディスク収納部と、該ディスク収納部と略同一形状を有し、該ディスク収納部に折り筋を介して連接された表紙部とを備えるので、書籍から分離した後、この折り筋にそってディスク収納部と表紙部とを折り合わせることにより、十分な強度を有するディスクの保存用ケースとして利用することができる。
【発明を実施するための最良の形態】
【００１１】
以下に図面を参照して本発明の実施形態を詳細に説明する。
【００１２】
図１は、本発明に係るディスクケースを有する書籍の一例である、ＣＤケース１００付きの雑誌２００を示す概略図である。ＣＤケース１００は、厚紙で形成されており、綴じ代１２によって雑誌２００のページ間に綴じ込まれている。図中、ＣＤケース１００の上側半分がＣＤ収納部１０１、下側半分は表紙部１０２であり、ＣＤ収納部１０１の内部にＣＤ２０が収納されている様子を点線で示してある。ＣＤ収納部１０１は蓋部１７によって密閉され、書籍が頒布されるときには、ＣＤ２０は取り出せないようになっている。一方、ＣＤ収納部１０１と表紙部１０２の間には、切り取り代２２が介在し、これを切り取ることによって、ＣＤ２０の外形より大きな開口が形成され、ＣＤ２０の出し入れが可能になる。
【００１３】
また、本実施形態においては、ＣＤケース１００は断ち代１３を有している。ＣＤケース１００と雑誌２００のページとは寸法が異なるため、このままでは揃えて製本するのが困難であるが、断ち代１３を設けておくことによって、背表紙に接する辺とページの下端に位置する辺との二つの辺を合わせて揃えることができるようになる。そして、揃えた状態で他の全てのページと共に仕上げ寸法通りに化粧断ちすることができ、高品質な書籍を得ることができる。
【００１４】
図２に、このような本発明に係るＣＤケース１００の展開図を示す。ＣＤケース１００は、ＣＤ収納部１０１を形成するためのＣＤ収納部形成領域１０ｂに設けられた糊代１６ａ、１６ｂ、および表紙部１０２を形成するための表紙部形成領域１１ｂに接着剤を塗布し、筋２１に沿って谷折にし、糊代１６ａ、１６ｂをＣＤ収納部形成領域１０ａに、表紙部形成領域１１ｂを表紙部形成領域１１ａに貼りあわせて作製される。こうすることによって、ＣＤ収納部１０１（図１を参照）が、厚紙による袋状に形成され、ＣＤを収納できるようになる。
【００１５】
綴じ代１２と、ＣＤ収納部形成領域１０ａおよび表紙部形成領域１１ａとの間には、切り離し線１８がミシン目状に設けられており、容易に切り離せるように構成されている。また、断ち代１３と、表紙部形成領域１１ａおよび１１ｂとの間にも切り離し線１９がミシン目状に設けられている。
【００１６】
ＣＤ収納部形成領域１０ａおよび表紙部形成領域１１ａ間には、折り筋１４ａおよび１４ｂが設けられ、厚紙を容易に谷折りできるように形成されている。折り筋１４ａおよび１４ｂを折ることによって、後述するように、ＣＤケース１００の背表紙が形成されるので、折り筋１４ａおよび１４ｂは、収納するＣＤの厚さや枚数により適当な間隔をあけて設けられる。
【００１７】
糊代を接着剤で貼付した状態を図３に示す。図３に示すように、糊代を接着するとＣＤケース１００のＣＤ収納部１０１は、上部が開口した封筒状になる。この状態で、ＣＤ２０を収納し、蓋部１７に接着剤を塗布して折り返し、収納部１０１を密閉する。ＣＤケース１００はこの状態で製本業者等に納入され、図１に示したように書籍２００に綴じ込まれる。
【００１８】
書籍を入手した消費者は、切り離し線１８および１９を切り離すことによって、書籍２００からＣＤケース２０を容易に分離することができる。書籍から分離されたＣＤケース１００を図４に示す。ＣＤケース１００は当初密閉されているが、図４は、切り取り筋１５ａおよび１５ｂを切り離して、切り取り代２２を切り取ることにより、ＣＤ出入口２９（開口部）が形成された状態を示している。本実施形態では、ＣＤが取り出しやすくなるように、切り取り代２２の中央が山型に形成され、開口部が大きくなるような構成となっている。
【００１９】
図５に、図４のＣＤケース１００を、折り筋１４ａおよび１４ｂ（図２を参照）に沿って折った状態を示す。ＣＤ収納部１０１と表紙部１０２とが折り重なって、ディスクを保管するのに十分な強度を有するケースとなり、この状態で、例えば整理棚等に立てて保存することができる。また、このような構成とすれば、ＣＤの出入口２９が内側にくるので、衝撃等によってもＣＤが飛び出ることもなく、安全に保持できる。
【００２０】
上述の実施形態では、本発明に係るディスクケースの一例として、厚紙で形成されたＣＤケースを挙げて説明したが、本発明は、上述した実施形態に限定されるものではなく、その要旨を変更しない限度において種々の変形を加えることが可能である。例えば、ディスクケースの材料は、本発明の目的を果たす限り厚紙でなくてもよく、例えば、樹脂やフェルト等であってもよいし、異なる材料を部分的に用いてもよい。また、ディスクケースのサイズも収納するディスクの大きさによって、好適なサイズを選択することができる。
【００２１】
表紙部も、ディスク収納部と同様に周囲のみ糊付けすれば、表紙部にもディスクを収納することが可能となりディスクの収納量を増やすことができる。本発明に係る書籍も雑誌に限定されず、パンフレット、教科書、辞書等、種々の書籍とすることが可能である。
【００２２】
なお、収納するディスクもＣＤに限定されず、ＤＶＤ、ＣＤ−ＲＯＭ、ＭＤ等、種々の光ディスクや磁気ディスク等とすることができる。
【図面の簡単な説明】
【００２３】
【図１】本発明に係るディスクケースが接合された書籍を示す概略図である。
【図２】本発明に係るディスクケースの展開図である。
【図３】本発明に係るディスクケースを示す図である。
【図４】本発明に係るディスクケースを示す図である。
【図５】本発明に係るディスクケースを示す図である。
【符号の説明】
【００２４】
１００…ディスクケース、１０…ディスク収納部形成領域、１１…表紙部形成領域、１２…綴じ代、１３…断ち代、１４…折り筋、１５…切り取り筋、１６…糊代、１７…蓋部、１８、１９…切り離し筋、２０…ディスク、２１…筋、２２…切り取り代、２９…ディスク出入口、２００…書籍
【図１】
2005138905.tif 000003
【図２】
2005138905.tif 000004
【図３】
2005138905.tif 000005
【図４】
2005138905.tif 000006
【図５】
2005138905.tif 000007